(57)【要約】【課題】構造簡易にして、作業性に優れた支柱取付用シース管を提供する。【解決手段】コンクリート躯体に埋設される管本体２を備え、コンクリート躯体に支柱を取り付ける取付孔を形成する支柱取付用シース管において、アルミ押出型材からなりビスホール４を有する管本体２と、この管本体２の底部を塞ぎビスホール４に螺合するビス10により固定された底面部３と、この底面部３の周囲に設けられ管本体２の外面より外側に位置する鍔部３Ａとを備える。ビスホール４を有するアルミ押出型材を用いることにより、管本体２に別個にビス受けなどを設ける必要がなく、底面部３をビス10により固定することができ、しかも、底面部３の周囲が鍔部３Ａとなるから、別個に鍔部を加工する必要がなく、鍔部３Ａを備えた有底な管本体２を安価に製造することができる。【選択図】図１
2008274700.tif 000002
【特許請求の範囲】
【請求項１】
コンクリート躯体に埋設される管本体を備え、前記コンクリート躯体に支柱を取り付ける取付孔を形成する支柱取付用シース管において、アルミ押出型材からなりビスホールを有する前記管本体と、この管本体の底部を塞ぎ前記ビスホールに螺合するビスにより固定された底面部と、この底面部の周囲に設けられ前記管本体の外面より外側に位置する鍔部とを備えることを特徴とする支柱取付用シース管。
【請求項２】
前記管本体の上部に着脱自在に取り付ける蓋体を備えることを特徴とする請求項１記載の支柱取付用シース管。
【請求項３】
前記蓋体を前記管本体に取り付ける手段が、前記ビスホールに螺合するビスであることを特徴とする請求項２記載の支柱取付用シース管。
【請求項４】
前記蓋体の下部に、前記管本体の上端に当接する短管部を設けたことを特徴とする請求項２又は３記載の支柱取付用シース管。
【請求項５】
前記短管部がビスホールを有するアルミ押出型材からなることを特徴とする請求項４記載の支柱取付用シース管。
【請求項６】
前記コンクリート躯体を形成する型枠に前記管本体を支持する支持手段を備え、この支持手段は、前記蓋体の両側に設けられ前記型枠に載置する載置部であることを特徴とする請求項３〜５のいずれか１項に記載の支柱取付用シース管。
【発明の詳細な説明】
【技術分野】
【０００１】
本発明は、パラペットや集合住宅などにおけるベランダなどのコンクリート躯体に手摺を固定するための支柱取付用シース管に関する。
【背景技術】
【０００２】
従来、コンクリート躯体に支柱を取り付ける場合、躯体に取付孔を設け、この取付孔の底部にはアンカー筋に固定したアンカープレートを設け、このアンカープレートに支柱の下部を溶接した後、前記取付孔にモルタルを充填して行われる（例えば特許文献１）。
【０００３】
上記の取付構造では、現場での溶接作業が必要となり、溶接がし難い場所では、作業性が悪いという問題がある。また、錆を防ぐためにモルタルを充填するが、経時的に、破損、ひび割れ等が発生する虞がある。
【０００４】
また、前記特許文献１では、他の取付構造として、コンクリート躯体の上面には凹部を形成し、この凹部の内面にはスパイラルシースが埋設され、このスパイラルシースはアンカー筋に溶接され、前記凹部に支柱の下部を挿入すると共に、無収縮性モルタルを充填する構造が提案されている。
【０００５】
そして、上記のようにシースを用い、溶接を不要とする構造が提案されており、これは例えば図７に示すように、シース管101に鍔部102を設け、そのシース管101の底部を塞ぐ底面部103にナット体104を設け、このナット体104に吊設棒105の下端を螺合すると共に、シース管101内に発泡スチロール106を挿入し、あるいはシース管101内に発泡ウレタンを充填し、型枠パネル107，107の上端間にセパレータ108を掛け渡し、このセパレータ108に前記吊設棒105の上端を連結して型枠内にシース管101を配置する。
【０００６】
前記型枠パネル107，107にコンクリート109を充填し、コンクリート109を養生した後、吊設棒105を操作してナット体104から外し、さらに、セパレータ108を取り外し、内部の発泡スチロール106を取り出すことにより、シース管101内に支柱110の下部を挿入する挿入孔が形成され、そのシース管101内に支柱110の下部を挿入し、充填材を充填することにより支柱110を立設することができる。
【特許文献１】特開平８−１３７３７号公報
【発明の開示】
【発明が解決しようとする課題】
【０００７】
上記のシース管101を用いる構造では、コンクリート充填前の型枠内にシース管101を配置するから、コンクリート109の下からの侵入を防止するため、底面を塞ぐと共に、コンクリート109の上からの侵入を防止するため、内部に発泡材を充填するなどの作業が必要があり、発泡材の充填・取出作業が煩雑になるという問題がある。
【０００８】
また、シース管101の底面を塞ぐため、底面部103が必要になり、シース管101とコンクリート109との密着性を向上するため、鍔部102を設ける必要があり、さらに、底面部103にナット体104を設ける必要があるから、管体のみの構造に比べて、シース管101が高価になるという問題が有る。
【０００９】
そこで、本発明は、このような問題を解決しようとするもので、構造簡易にして、作業性に優れた支柱取付用シース管を提供することを目的とする。
【課題を解決するための手段】
【００１０】
請求項１の発明は、コンクリート躯体に埋設される管本体を備え、前記コンクリート躯体に支柱を取り付ける取付孔を形成する支柱取付用シース管において、アルミ押出型材からなりビスホールを有する前記管本体と、この管本体の底部を塞ぎ前記ビスホールに螺合するビスにより固定された底面部と、この底面部の周囲に設けられ前記管本体の外面より外側に位置する鍔部とを備えるものである。
【００１１】
また、請求項２の発明は、前記管本体の上部に着脱自在に取り付ける蓋体を備えるものである。
【００１２】
また、請求項３の発明は、前記蓋体を前記管本体に取り付ける手段が、前記ビスホールに螺合するビスであるものである。
【００１３】
また、請求項４の発明は、前記蓋体の下部に、前記管本体の上端に当接する短管部を設けたものである。
【００１４】
また、請求項５の発明は、前記短管部がビスホールを有するアルミ押出型材からなるものである。
【００１５】
また、請求項６の発明は、前記コンクリート躯体を形成する型枠に前記管本体を支持する支持手段を備え、この支持手段は、前記蓋体の両側に設けられ前記型枠に載置する載置部であるものである。
【発明の効果】
【００１６】
請求項１の発明によれば、ビスホールを有するアルミ押出型材を用いることにより、管本体に別個にビス受けなどを設ける必要がなく、底面部をビスにより固定することができ、しかも、底面部の周囲が鍔部となるから、別個に鍔部を加工する必要がなく、鍔部を備えた有底な管本体を安価に製造することができる。
【００１７】
また、請求項２の発明によれば、蓋体により管本体の上部を塞ぐことにより、コンクリートが内部に侵入することがなく、従来の発泡材を用いる必要がなく、コンクリート打設後、蓋体を取り外せば、管本体内の取付孔が表れ、現場での作業性に優れたものとなる。そして、蓋体は着脱式であるから、繰り返し使用することができる。
【００１８】
また、請求項３の発明によれば、底面部と同様にビスホールを用いて蓋体を簡便に着脱することができる。
【００１９】
また、請求項４の発明によれば、短管部が管本体の上端に当接することにより、管本体の上部を塞ぐことができ、出来上がり状態で、その短管部の分だけ、管本体の状態をコンクリート内に埋設することができる。
【００２０】
また、請求項５の発明によれば、蓋体の上面側から、短管部のビスホールと管本体のビスホールとにビスを螺合することにより、管本体に蓋体を固定することができる。
【００２１】
また、請求項６の発明によれば、管本体に蓋体を固定し、蓋体の載置部を型枠に載置することにより、コンクリート打設前の型枠内に管本体を位置決めすることができる。
【発明を実施するための最良の形態】
【００２２】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な支柱取付用シース管を採用することにより、従来にない支柱取付用シース管が得られ、その支柱取付用シース管を夫々記述する。
【実施例１】
【００２３】
以下、本発明の支柱取付用シース管を添付図面を参照して説明する。図１〜図４は、本発明の実施例１を示し、同図に示すように、シース管１は、アルミ押出型材からなる管本体２と、この管本体２の底部を塞ぐ底面部３とを備える。アルミ押出型材は、アルミニウムまたはその合金を押出成型してなるものである。尚、図中２Ａの管本体２の上端である。
【００２４】
前記管本体２は、断面略正方形をなし、その内周面に複数のビスホール４，４…を備え、この例では一辺の両側にそれぞれビスホール４，４を備え、合計８個のビスホールを有する。そのビスホール４は、断面が略Ｃ字形のリブ形状をなすと共に、長手方向に沿って形成されたスリット部５を有する。また、この例では、管本体２には、コンクリートとの密着性を向上するため長手方向の凹部６と凸部７とを周方向に並べて形成し、それら凹部６と凸部７とは同一厚さで間に段部８が形成されている。尚、管本体２の上端と下端とは、相互にほぼ平行に形成されている。
【００２５】
前記底面部３は、アルミニウムまたはその合金製の板材からなり、前記ビスホール４に対応して透孔９を穿設し、この透孔９に挿通したビス10を前記ビスホール４に螺合することにより、管本体２の底部に底面部３が固定される。また、底面部３は前記管本体２の外径より大きく形成され、固定状態で、底面部３の周囲が管本体の外面より外側に位置し、この外側に位置する部分により鍔部３Ａを構成している。
【００２６】
また、前記管本体２の上部には、蓋体11が着脱可能に設けられる。この蓋体11は、アルミニウムまたはその合金製の板材からなる蓋本体12と、この蓋本体12の下面に設けられた短管部13とからなり、この短管部13は、前記管本体２より短い意外は、該管本体２と同一構成であり、下端が前記管本体２の上端に当接する。また、前記蓋体11には、前記短管部13のビスホール４に対応して透孔14を穿設し、この透孔14に挿通したビス10を短管部13のビスホール４に螺合することにより、短管部13に蓋本体12が固定されている。また、前記短管部13より長いビス10Ａを用い、このビス10Ａを、前記透孔14に挿通し、さらに、短管部13のビスホール４と管本体２のビスホール４の上部に螺合することにより、蓋体11が管本体２に固定され、この状態で、短管部13が管本体12に圧接して蓋体11により管本体12の上端が閉塞される。尚、複数ある透孔14のいずれかにビス10を挿通し、残りの透孔14にビス10Ａを挿通する。この場合、ビス10とビス10Ａとを円周方向において並ぶ透孔14に交互に挿通し、複数のビス10により蓋本体12と短管部13とが着脱固定され、複数のビス10Ａにより蓋体11と管本体２とが着脱可能に固定される。
【００２７】
また、蓋本体12の両側は外側に延設され、型枠たる型枠パネル21，21の上部たる上面22，22に載置される載置部12Ａ，12Ａになっており、それら蓋体11とこの蓋体11を管本体２に固定するビス10により型枠パネル21，21に前記管本体２を支持する支持手段を構成している。また、前記載置部12Ａには、必要に応じて複数の透孔15が穿設され、透孔16に挿通した固定手段たる釘16を前記型枠パネル21に打ち込んで、型枠パネル21に蓋体11を固定することができる。尚、コンクリート硬化後は、釘16を抜いて外すことができる。
【００２８】
次に、シース管１を用いた施工方法について説明する。コンクリート躯体に対応して、型枠パネル21，21を配置する。管本体２には蓋体11を固定しておき、蓋本体12の載置部12Ａ，12Ａを型枠パネル21，21の上面21Ａ，21Ａに載置する。また、必要に応じて、釘16で固定する。そして、型枠パネル21，21間にコンクリートを充填し、このコンクリートが硬化してパラペットなどのコンクリート躯体22が形成され、また、蓋体11のビス10Ａを外し、蓋体11を取り外すことにより、コンクリート躯体22の上面22Ａに、シース管１の内部空間からなる取付孔23が形成される。そして、この取付孔23に支柱（図示せず）の下部あるいは下部構造を挿入し、無収縮モルタルなどの充填材を充填することにより、コンクリート躯体22に支柱を立設する。
【００２９】
この場合、管本体２の上下は、ビス10で固定した蓋体11と底面部３により塞がれているから、打設したコンクリートが内部に侵入することがなく、しかも、その蓋となる底面部３の周囲が鍔部３Ａとなってコンクリート躯体22に埋設され、管本体２の上下方向の取付強度が向上する。また、蓋体11は繰り返し使用することができ、汎用性に優れたものとなる。
【００３０】
このように本実施例では、請求項１に対応して、コンクリート躯体22に埋設される管本体２を備え、コンクリート躯体22に支柱を取り付ける取付孔23を形成する支柱取付用シース管において、アルミ押出型材からなりビスホール４を有する管本体２と、この管本体２の底部を塞ぎビスホール４に螺合するビス10により固定された底面部３と、この底面部３の周囲に設けられ管本体２の外面より外側に位置する鍔部３Ａとを備えるから、ビスホール４を有するアルミ押出型材を用いることにより、管本体２に別個にビス受けなどを設ける必要がなく、底面部３をビス10により固定することができ、しかも、底面部３の周囲が鍔部３Ａとなるから、別個に鍔部を加工する必要がなく、鍔部３Ａを備えた有底な管本体２を安価に製造することができる。
【００３１】
このように本実施例では、請求項２に対応して、管本体２の上部に着脱自在に取り付ける蓋体11を備えるから、蓋体11により管本体２の上部を塞ぐことにより、コンクリートが内部に侵入することがなく、従来の発泡材などを用いる必要がなく、コンクリート打設後、蓋体11を取り外せば、管本体２内の取付孔23が表れ、現場での作業性に優れたものとなる。そして、蓋体11は着脱式であるから、繰り返し使用することができる。
【００３２】
このように本実施例では、請求項３に対応して、蓋体11を前記管本体に取り付ける手段がビスホール４に螺合するビス10であるから、底面部３と同様にビスホール４を用いて蓋体11を簡便に着脱することができる。
【００３３】
このように本実施例では、請求項４に対応して、蓋体11の蓋本体12の下部に、管本体２の上端に当接する短管部13を設けたから、短管部13が管本体２の上端に当接することにより、管本体２の上部を塞ぐことができ、平面状の部分を管本体２の上端に当てる場合より、隙間が発生し難く、また、出来上がり状態で、その短管部13の分だけ、管本体２の上端をコンクリート内に埋設することができる。
【００３４】
このように本実施例では、請求項５に対応して、短管部13がビスホール４を有するアルミ押出型材からなるから、蓋体11の上面側から、短管部13のビスホール４と管本体２のビスホール４とにビス10Ａを螺合することにより、管本体２に蓋体11を固定することができる。しかも、蓋体11の蓋本体12と短管部13とをビス10により一体に組み立てることができる。
【００３５】
このように本実施例では、請求項６に対応して、コンクリート躯体23を形成する型枠たる型枠パネル21，21に管本体２を支持する支持手段を備え、この支持手段は、蓋体11の両側に設けられ型枠パネル21，21に載置する載置部12Ａ，12Ａであるから、管本体２に蓋体11を固定し、蓋体11の載置部12Ａを型枠パネル21に載置することにより、コンクリート打設前の型枠内に管本体２を位置決めすることができる。
【００３６】
また、実施例上の効果として、蓋本体12に透孔15を設けたから、釘16などにより型枠パネル21に簡便に仮固定することができる。また、底面部３及び蓋本体12は等間隔に挿通した複数のビス10及び複数のビス10Ａにより管本体２に固定するから、密着性に優れたものとなる。また、蓋本体12と短管部13とを複数のビス10により固定し、蓋体11と管本体２とを複数のビス10により着脱可能固定するから、蓋本体12と短管部13の組立と、蓋体11と管本体２との固定と、を簡便に行うことができる。
【実施例２】
【００３７】
図４は、本発明の実施例２を示し、上記実施例１と同一部分に同一符号を付し、その詳細な説明を省略して詳述すると、この例では、シース管１は、管本体２に凹部と凸部は設けられておらず、断面略正方形に形成されている。
【００３８】
このように外面に凹凸のない管本体２を用いる本実施例においても、請求項１〜６に対応して、上記実施例１と同様な作用・効果を奏する。
【実施例３】
【００３９】
図５は、本発明の実施例３を示し、上記実施例１と同一部分に同一符号を付し、その詳細な説明を省略して詳述すると、この例では、シース管１は、管本体２が断面略円形をなし、凹部と凸部は設けられておらず、その管本体２の内周面に円周方向等間隔で８個のビスホール４，４・・・を設け、これらビスホール４，４・・・に対応して、前記底面部３に透孔９を設けると共に、前記蓋本体12に透孔14を設けている。尚、底面部３も管本体２に対応して、ほぼ円形に形成されている。
【００４０】
このように断面略円形の管本体２を用いる本実施例においても、請求項１〜６に対応して、上記各実施例と同様な作用・効果を奏し、このように管本体２と底面部３の形状は適宜選定可能であり、例えば、３角形や五角形以上、あるいは楕円形などでもよい。
【実施例４】
【００４１】
図６は、本発明の実施例４を示し、上記各実施例と同一部分に同一符号を付し、その詳細な説明を省略して詳述すると、この例では、コンクリート躯体22の上面22Ａが幅方向において斜めに形成され、両側の型枠パネル21，21の上面21Ａ，21Ａの高さが異なり、これら上面21Ａ，21Ａを結ぶ傾斜に対応して、管本体２の上端２Ａを斜めに形成すると共に短管部13の上端及び下端を斜めに形成し、かつ蓋本体12も斜めに配置している。尚、図６では、上面21Ａを傾斜して図示したが、ほぼ水平な上面21Ａにも適用可能である。
【００４２】
このように本実施例では、請求項１〜６に対応して、上記各実施例と同様な作用・効果を奏し、このようにコンクリート躯体22の上面22Ａに幅方向に傾斜がある場合でも、その上面22Ａに取付孔23を形成することができる。
【００４３】
以上、本発明の実施形態について詳述したが、本発明は前記各実施形態に限定されるものではなく、本発明の要旨の範囲内で種々の変形実施が可能である。例えば、実施例では、蓋本体と短管部とをビスにより固定したが、あらかじめ両者を他の手段により一体化してもよい。また、管本体と短管部以外は、他の金属や硬質合成樹脂などの各種の材料から形成することができる。また、ビスはセルフタッピング式のものを用い、ビスホールに螺合する雄ネジ部を有するものであれば、各種のものを用いることができる。
【図面の簡単な説明】
【００４４】
【図１】本発明の実施例１を示すシース管の分解斜視図である。
【図２】同上、型枠取付状態の断面図である。
【図３】同上、コンクリート打設後の断面図である。
【図４】本発明の実施例２を示す管本体の平面図である。
【図５】本発明の実施例２を示し、図５（Ａ）は蓋体の平面図、図５（Ｂ）は管本体の平面図、図５（Ｃ）は底面部の平面図である。
【図６】本発明の実施例３を示す型枠取付状態の断面図である。
【図７】従来例の断面図である。
【符号の説明】
【００４５】
１  シース管
２  管本体
３  底面部
３Ａ  鍔部
４  ビスホール
10  ビス
10Ａ  ビス
11  蓋体
12  蓋本体
12Ａ  載置部
13  短管部
14  透孔
21  型枠パネル
21Ａ  上面（上部）
22  コンクリート躯体
22Ａ  上面
23  取付孔
【図１】
2008274700.tif 000003
【図２】
2008274700.tif 000004
【図３】
2008274700.tif 000005
【図４】
2008274700.tif 000006
【図５】
2008274700.tif 000007
【図６】
2008274700.tif 000008
【図７】
2008274700.tif 000009